(57)【要約】【課題】カチオン色の効果を果たすと同時に、吸汗速乾、紫外線カット、遮熱等の複数の機能性を実現し、暑い天気の中で運動しても、快適に着用することができるアパレル生地およびアパレルを提供する。【解決手段】編組織を多層構造に編成したアパレル生地１であり、生地の表裏の一側面に表編地層２を有し、他側面に裏編地層３を有し、表編地層２は、カチオンポリエステルと非カチオンポリエステルの複合糸４で編成し、裏編地層は、遮熱ポリエステルの糸５で編成した。【選択図】図１
0003224533.tif 000002
【実用新案登録請求の範囲】
【請求項１】
編組織を多層構造に編成した生地であり、生地の表裏の一側面に表編地層を有し、他側面に裏編地層を有し、
表編地層は、カチオンポリエステルと非カチオンポリエステルの複合糸で編成し、
裏編地層は、遮熱ポリエステルの糸で編成したことを特徴とするアパレル生地。
【請求項２】
表編地層の複合糸が、カチオンポリエステルと非カチオンポリエステルである吸汗速乾ポリエステルの複合糸であることを特徴とする請求項１に記載のアパレル生地。
【請求項３】
表編地層の編組織に編成する生地表面側の糸の一部を、裏編地層の編組織に編み込んで表編地層と裏編地層を接合したことを特徴とする請求項１に記載のアパレル生地。
【請求項４】
裏編地層の編組織に編成する生地裏面側の糸の一部を、表編地層の編組織に編み込んで表編地層と裏編地層を接合したことを特徴とする請求項１に記載のアパレル生地。
【請求項５】
表編地層の編組織と裏編地層の編組織の両編組織間にわたって接結糸を編み込んで表編地層と裏編地層を接合したことを特徴とする請求項１に記載のアパレル生地。
【請求項６】
接結糸は、ポリウレタンの糸あるいはポリエステルの糸であることを特徴とする請求項５に記載のアパレル生地。
【請求項７】
複合糸は、カチオンポリエステルの糸と非カチオンポリエステルの糸を撚り合わせてなり、カチオンポリエステルの糸は繊度が５０Ｄから２００Ｄであることを特徴とする請求項１に記載のアパレル生地。
【請求項８】
遮熱ポリエステルの糸は繊度が５０Ｄから２００Ｄであることを特徴とする請求項１に記載のアパレル生地。
【請求項９】
請求項１から８の何れか１項に記載のアパレル生地を縫製してなることを特徴とするアパレル。
【考案の詳細な説明】
【技術分野】
【０００１】
本考案は、生地の表裏に異なる機能の編地層を有する多層構造のアパレル生地およびアパレルに関する。
【背景技術】
【０００２】
従来、Ｔシャツ、パーカー、ズボン等のアパレルに使用されるアパレル生地にポリエステル系のニット生地がある。
【０００３】
ポリエステルは、綿などの天然繊維に比べると軽く、手触りはさらっとした感じなので、夏のニット衣料によく使われている。また、吸湿性が低いので、汗をかいてもすぐ乾き、スポーツウェアなどによくつかわれる。
【０００４】
このニット生地には、夏場の太陽光を遮蔽する遮熱性、放熱性、吸汗速乾性等の機能を有するものがあり、例えば特開２０１５−１０２８２に記載するものがある。
【先行技術文献】
【特許文献】
【０００５】
【特許文献１】特開２０１５−１０２８２
【考案の概要】
【考案が解決しようとする課題】
【０００６】
ところで、近年の夏の気候は、気温が３５℃を超える酷暑も当り前となっている。このため、夏を快適に過ごすために多くの機能素材が開発されており、吸水速乾性、調湿性、紫外線カットや汗の臭いを防ぐ消臭性等の複数の機能を訴求する素材もある。
【０００７】
カチオンポリエステルは、ポリエステルにスルホン酸基を導入し、カチオン染料による常圧染色を可能にしたポリエステルである。カチオンポリエステルには、常圧可染カチオンポリエステル、常圧カチオン可染ポリエステル、カチオン可染ポリエステル等の名称があるがここではカチオンポリエステルと呼称する。
【０００８】
一般的に、カチオンポリエステルと普通の非カチオンポリエステルの複合糸で編成したカチオン生地は、カチオンポリエステルと非カチオンポリエステルが染色温度によって異なる効果を生じることを利用しており、カチオン染料と普通分散染料を用いて高低温染色加工し、高温染色してから低温染色することでカチオン色効果を実現させている。
【０００９】
カチオン生地は、手触りがなめらかで弾性があり、現在、スポーツウェアに最も多く使われているが、遮熱、冷感、ＵＶカットなどの機能が実現されていることが少ない。スポーツウェアには鮮やかな柄が必要だけでなく、その機能性と着心地も重視される。
【００１０】
本考案は上記した課題を解決するものであり、カチオン色効果を果たすと同時に、吸汗速乾、紫外線カット、遮熱等の複数の機能性を実現し、暑い天気の中で運動しても、快適に着用することができるアパレル生地およびアパレルを提供することを目的とする。
【課題を解決するための手段】
【００１１】
上記課題を解決するために、本考案に係るアパレル生地は、編組織を多層構造に編成した生地であり、生地の表裏の一側面に表編地層を有し、他側面に裏編地層を有し、表編地層は、カチオンポリエステルと非カチオンポリエステルの複合糸で編成し、裏編地層は、遮熱ポリエステルの糸で編成したことを特徴とする。
【００１２】
本考案に係るアパレル生地において、表編地層の複合糸が、カチオンポリエステルと非カチオンポリエステルである吸汗速乾ポリエステルの複合糸であることを特徴とする。
【００１３】
本考案に係るアパレル生地において、表編地層の編組織に編成する生地表面側の糸の一部を、裏編地層の編組織に編み込んで表編地層と裏編地層を接合したことを特徴とする。
【００１４】
本考案に係るアパレル生地において、裏編地層の編組織に編成する生地裏面側の糸の一部を、表編地層の編組織に編み込んで表編地層と裏編地層を接合したことを特徴とする。
【００１５】
本考案に係るアパレル生地において、表編地層の編組織と裏編地層の編組織の両編組織間にわたって接結糸を編み込んで表編地層と裏編地層を接合したことを特徴とする。
【００１６】
本考案に係るアパレル生地において、接結糸は、ポリウレタンの糸あるいはポリエステルの糸であることを特徴とする。
【００１７】
本考案に係るアパレル生地において、複合糸は、カチオンポリエステルの糸と非カチオンポリエステルの糸を撚り合わせてなり、カチオンポリエステルの糸は繊度が５０Ｄから２００Ｄであることを特徴とする。
【００１８】
本考案に係るアパレル生地において、遮熱ポリエステルの糸は繊度が５０Ｄから２００Ｄであることを特徴とする。
【００１９】
本考案に係るアパレルは、上記の何れかのアパレル生地を縫製してなることを特徴とする。
【考案の効果】
【００２０】
以上のように、本考案に係るアパレル生地およびアパレルは、生地表側に表編地層を有し、カチオンポリエステルと非カチオンポリエステルの複合糸あるいはカチオンポリエステルと吸汗速乾ポリエステルの複合糸で表編地層を編成したので、アパレル生地の吸湿性と可染性がアップする。そして、カチオンポリエステルがアパレルの生地表側において鮮やかなカチオン色効果を果たし、アパレルを着る人に多く選択性を与え、いろんな消費者の美的なニーズを満たす。
【００２１】
また、生地裏側に裏編地層を有し、遮熱ポリエステルの糸で裏編地層を編成したので、アパレル生地の生地裏側において遮熱効果を果たすことができる。遮熱ポリエステルの糸は中に練り込んだ遮熱材料で熱量を遮断することができ、さらに涼感、吸湿速乾、ＵＶカットの機能を発揮し、アパレルを着ている人の体表温度を下げるので、熱い天気でも快適に行動できる。
【００２２】
表編地層と裏編地層は、互いの糸で直接的に接合され、或いは第３の糸である接結糸を使って接続された２重構造を有するので、生地の強さがアップし、破れにくく、長期間の使用が可能である。
【図面の簡単な説明】
【００２３】
【図１】本考案の実施の形態におけるアパレル生地の編組織を示す模式図
【図２】本考案の他の実施の形態におけるアパレル生地の編組織を示す模式図
【考案を実施するための形態】
【００２４】
以下、本考案の実施の形態を図面に基づいて説明する。本実施の形態は、本考案に係る実施の形態の一つの例示にすぎず、本考案に係る全ての実施の形態ではない。本実施の形態に関連し、創造的な作業を伴わないで得られるすべての他の実施の形態が本考案の保護範囲に属している。
【００２５】
本考案に係る複数のアパレル生地のうちの一つのアパレル生地を本実施の形態において説明する。このアパレル生地は、春夏用で、特にアウトドアの機能性ウェアに適しており、適用可能なアパレルのアイテムにはＴシャツ、パーカー、ズボンなどがある。
【００２６】
図１において、アパレル生地１は、編組織を多層構造に編成した生地であり、生地の表裏の一側面をなす生地表側に表編地層２を有し、他側面をなす生地裏側に裏編地層３を有している。
【００２７】
表編地層２は、カチオンポリエステルと非カチオンポリエステルの複合糸４で編成しており、裏編地層３は、遮熱ポリエステルの糸５で編成している。また、表編地層２の複合糸４は、カチオンポリエステルと非カチオンポリエステルである吸汗速乾ポリエステルの複合糸とすることも可能である。
【００２８】
複合糸４の形態には種々のものがあり、異種素材のフィラメントを混ぜ合わせた混繊糸や、フィラメントを芯にして他の繊維を巻きつけたコア・ヤーン、異種繊維糸の交撚糸などがある。本考案は何れの形態の複合糸４も適用可能である。
【００２９】
本実施の形態において例示する複合糸４は異種繊維糸の交撚糸であり、カチオンポリエステルのマルチフィラメントからなるカチオンポリエステルの糸と、非カチオンポリエステルのマルチフィラメントからなる非カチオンポリエステルの糸を撚り合わせたものである。遮熱ポリエステルの糸５は、ポリエステルのマルチフィラメントに遮熱材料を練り込んだものである。
【００３０】
カチオンポリエステルの糸は繊度が５０Ｄから２００Ｄであり、遮熱ポリエステルの糸は繊度が５０Ｄから２００Ｄである。
【００３１】
表編地層２と裏編地層３は、双方の何れか一方の糸を相手層に編み込んで接合している。本実施の形態では、表編地層２の編組織に編成する生地表面側の糸、ここでは複合糸４の一部を、裏編地層３の編組織に編み込んで表編地層２と裏編地層３を接合している。あるいは、裏編地層３の編組織に編成する生地裏面側の糸、ここでは遮熱ポリエステル糸５の一部を、表編地層２の編組織に編み込んで表編地層２と裏編地層３を接合することも可能である。
【００３２】
一般的に、カチオンポリエステルの糸は、改質剤としてポリエステルのフィラメントに親水性のスルホン酸基を導入して作製する。あるいはポリエステルのフィラメントの紡糸中にカチオン活性剤を添加してカチオンポリエステルの糸を作製する。
【００３３】
カチオンポリエステルの糸は、常温常圧で低温染色が可能であり、結晶度が低下し染料が浸透し易くなるので、ポリエステルの吸色性が大きく改善される。このため、染めた色が鮮やかで、染色堅牢度がよい。染色にはカチオン染料と普通の分散染料を使って、異なる温度でカチオンポリエステルと非カチオンポリエステルに染色すると、カチオンポリエステルと非カチオンポリエステルが異なる色になり、生地の表面に麻のようなカチオン色効果が現れる。
【００３４】
吸汗速乾ポリエステルは改質したポリエステルであり、ポリエステルの溶融液に吸湿性の機能をあたえる改質剤のペレットを加え、異型断面の孔の空いたノズルを用いて紡糸して作製する。あるいは、ポリエステルフィラメントの後加工過程で、フィラメントの表面に吸汗速乾機能を有する助剤を付着させて作製する。
【００３５】
ノズルの異型断面の孔の形状としては、クロス型、二重クロス型，工型，十字型などがある。
【００３６】
このように、本実施の形態のアパレル生地１は、生地表側に表編地層２を有し、カチオンポリエステルと非カチオンポリエステルの複合糸４あるいはカチオンポリエステルと吸汗速乾ポリエステルの複合糸４で表編地層２を編成したので、アパレル生地１の吸湿性と可染性がアップする。そして、カチオンポリエステルがアパレル生地表側において鮮やかなカチオン色効果を果たし、このアパレル生地１を縫製したアパレルを着る人に多くの選択性を与え、いろんな消費者の美的なニーズを満たす。
【００３７】
なお、糸の繊度は生地素材の重要なパラメータであり、このアパレル生地１からなるアパレルを着用した際の快適性を向上させるためには、カチオンポリエステルの繊度は５０Ｄ−１００Ｄであり、一番好ましい繊度は７５Ｄである。また、このアパレルの通気性を高めるためは、生地表側の表編地層２の厚さは０．５ｍｍ−１ｍｍである。
【００３８】
裏編地層３は表編地層２と表裏をなして生地裏側にあり、遮熱ポリエステルの糸５で編成したものである。遮熱ポリエステルの糸５には遮熱素材が練り込まれている。遮熱素材にはセラミック粉末を用いることができる。遮熱ポリエステルは遮熱素材のセラミック粉末をポリエステルの溶融液に加えて紡糸して作製してもよいし、紡糸したポリエステルのフィラメントにセラミック粉末を塗布してもよい。
【００３９】
このように、遮熱ポリエステルの糸５で裏編地層３を編成することで、アパレル生地１は生地裏側に遮熱機能を備える。遮熱ポリエステルは遮熱素材のセラミック粉末で熱量を遮断することができて、着ている人の体表温度を下げ、ユーザの着用体験を向上させることができ、さらに涼感、吸湿速乾、ＵＶカットの機能を備えて、熱い天気でも、快適に運動などすることが出来る。
【００４０】
遮熱素材のセラミック粉末は、ジルコニア、シリカとチタニアの混合物であり、粉末直径は１μｍ−３μｍであり、粒子が大きすぎると生地全体の手触りの快適さが低下する。粒子が小さすぎると、遮熱、涼感、ＵＶカットの機能を実現できない。遮熱ポリエステルの繊度は５０Ｄ‐２００Ｄの範囲であり、繊度が７５Ｄであることが好ましい。
【００４１】
裏編地層３の厚さは０．８ｍｍ−１．２ｍｍである。表編地層２の厚さは裏編地層３の厚さよりも小さい。このアパレル生地１のストレッチ性を高めるために、表編地層２と裏編地層３にはウレタンフィラメントが添加されている。このアパレル生地１が適度なストレッチ性を有することを保証するために、ウレタンフィラメントは表編地層２と裏編地層３の総質量に対して質量分率が５％―１０％を占めている。
【００４２】
図２は本考案の他の実施の形態に係るアパレル生地１１を示している。アパレル生地１１は、図１で説明したアパレル生地１と同様に、編組織を多層構造に編成した生地であり、生地の表裏の一側面をなす生地表側に表編地層２を有し、他側面をなす生地裏側に裏編地層３を有している。
【００４３】
表編地層２は、カチオンポリエステルと非カチオンポリエステルの複合糸４で編成しており、裏編地層３は、遮熱ポリエステルの糸５で編成している。また、表編地層２の複合糸４は、カチオンポリエステルと非カチオンポリエステルである吸汗速乾ポリエステルの複合糸とすることも可能である。
【００４４】
そして、表編地層２の編組織と裏編地層３の編組織の両編組織間にわたって接結糸６を編み込んで表編地層２と裏編地層３を接合したものである。接結糸６は、ポリウレタンの糸あるいはポリエステルの糸である。
【００４５】
この構造により、表編地層２と裏編地層３の連結強度が強くなり、破れにくく、長期間にわたる耐久性を確保できる。表編地層２と裏編地層３の連結強度を強くするために、接結糸６は波形線状に配置し、交互に表編地層２と裏編地層３に編み込んでいる。
【００４６】
本実施の形態で提供するアパレル生地１１においても、先の実施の形態に係るアパレル生地１と同様に、生地表側に表編地層２を有し、カチオンポリエステルと非カチオンポリエステルの複合糸４あるいはカチオンポリエステルと吸汗速乾ポリエステルの複合糸４で表編地層２を編成したので、アパレル生地１の吸湿性と可染性がアップする。そして、カチオンポリエステルがアパレル生地表側において鮮やかなカチオン色効果を果たし、このアパレル生地１を縫製したアパレルを着る人に多くの選択性を与え、いろんな消費者の美的なニーズを満たす。
【００４７】
また、遮熱ポリエステルの糸５で裏編地層３を編成することで、アパレル生地１は生地裏側に遮熱機能を備える。遮熱ポリエステルは遮熱素材のセラミック粉末で熱量を遮断することができて、着ている人の体表温度を下げ、ユーザの着用体験を向上させることができ、さらに涼感、吸湿速乾、ＵＶカットの機能を備えて、熱い天気でも、快適に運動などすることが出来る。
【００４８】
上記の実施の形態に係るアパレル生地１、１１は、縫製することでアパレルとして提供できる。このアパレル生地１、１１を使用して作られる衣料品のアイテムには、Ｔシャツ、パーカー、ズボンなどがある。このアパレル生地１、１１で作成されたアパレルは、以下のメリットを備える。
【００４９】
１．アパレル生地の吸湿性と可染性をアップし、カチオンポリエステルはアパレル生地表側に鮮やかな麻様の色効果を果たして、着ている人に多く選択性を与え、いろんな消費者の美しいニーズを満たす。
【００５０】
２．遮熱機能があり、遮熱ポリエステルの糸により熱量を遮断することで、着ている人の体表温度を下げ、ユーザの着用体感を向上させるとともに、涼感、吸湿速乾、ＵＶカットの機能があって、熱い天気でも快適に着用することが出来る。
【００５１】
３．破れにくく、長期間にわたって使える。
【００５２】
本考案は、先に示した実施の形態に限るものではなく、本分野の技術者にとっては、本考案の保護範囲から逸脱することなく、様々な変化、再調整、代替が可能であることが理解される
上述した実施の形態において、本考案をより詳細に説明したが、本考案は上記の実施の形態に限らず、本考案の技術思想から逸脱することなく、より多くの等価な実施の形態を含むことができる。本考案の保護範囲は、添付する実用新案登録請求の範囲によって決定される。
【符号の説明】
【００５３】
１、１１  アパレル生地
２    表編地層
３    裏編地層
４    カチオンポリエステルと非カチオンポリエステルの複合糸
５    遮熱ポリエステルの糸
６    接結糸
【図１】
0003224533.tif 000003
【図２】
0003224533.tif 000004